(57)【要約】【課題】プロジェクタユニットを備えた携帯型電子機器に適した載置台の提供。【解決手段】載置台２は、投射用光像を投射するプロジェクタユニットを備えた携帯型電子機器１を載置する載置部２０と、載置部２０に載置された携帯型電子機器１と電気的に接続されるコネクタ部２０８と、コネクタ部２０８を介して携帯型電子機器１に充電電力を供給する充電電力供給部と、熱伝導性部材で形成され、載置部２０に載置された携帯型電子機器１の筐体に接触する放熱用部材２０２とを備える。【選択図】図１
2008288682.tif 000002
【特許請求の範囲】
【請求項１】
投射用光像を投射するプロジェクタユニットを備えた携帯型電子機器を載置する載置部と、
前記載置部に載置された前記携帯型電子機器と電気的に接続されるコネクタ部と、
前記コネクタ部を介して前記携帯型電子機器に充電電力を供給する充電電力供給部と、
熱伝導性部材で形成され、前記載置部に載置された前記携帯型電子機器の筐体に接触する放熱用部材とを備えたことを特徴とする載置台。
【請求項２】
請求項１に記載の載置台において、
前記放熱用部材は、前記携帯型電子機器に設けられた三脚取り付け用穴部に係合する凸部であることを特徴とする載置台。
【請求項３】
請求項１または２に記載の載置台において、
前記プロジェクタユニットから投射される投射用光像の投射角度が変更されるように、前記載置部を回動可能に支持する基台をさらに備えたことを特徴とする載置台。
【請求項４】
請求項３に記載の載置台において、
前記載置部の回動角度を検出する検出部と、
前記検出部の検出情報を、前記コネクタ部を介して前記携帯型電子機器に送出する検出情報送出部とをさらに備えたことを特徴とする載置台。
【請求項５】
請求項１〜４のいずれか一項に記載の載置台において、
前記携帯型電子機器に対する指示を入力するための操作部と、
前記操作部の入力操作に基づく操作信号を、前記コネクタ部を介して前記携帯型電子機器に送出する操作信号送出部とをさらに備えたことを特徴とする載置台。
【請求項６】
請求項５に記載の載置台において、
前記操作部の入力操作に基づく操作信号を無線にて送出する送信部を備えたことを特徴とする載置台。
【請求項７】
請求項１〜６のいずれか一項に記載の載置台において、
リモコン装置からの操作信号を受信する受信部と、
前記受信部で受信した操作信号を、前記コネクタ部を介して前記携帯型電子機器に送出する受信操作信号送出部とを備えたことを特徴とする載置台。
【請求項８】
投射用光像を投射するプロジェクタユニットを備えた携帯型電子機器を載置する載置部と、
前記載置部に載置された前記携帯型電子機器と電気的に接続されるコネクタ部と、
前記コネクタ部を介して前記携帯型電子機器に充電電力を供給する充電電力供給部と、
前記プロジェクタユニットから投射される投射用光像の投射角度が変更されるように、前記載置部を回動可能に支持する基台とを備えたことを特徴とする載置台。
【請求項９】
請求項８に記載の載置台において、
前記載置部の回動角度を検出する検出部と、
前記検出部の検出情報を、前記コネクタ部を介して前記携帯型電子機器に送出する検出情報送出部とを備えたことを特徴とする載置台。
【請求項１０】
投射用光像を投射するプロジェクタユニットを備えた携帯型電子機器を載置する載置部と、
前記載置部に載置された前記携帯型電子機器と電気的に接続されるコネクタ部と、
前記コネクタ部を介して前記携帯型電子機器に充電電力を供給する充電電力供給部と、
前記携帯型電子機器に対する指示を入力するための操作部と、
前記操作部の入力操作に基づく操作信号を、前記コネクタ部を介して前記携帯型電子機器に送出する操作信号送出部とを備えたことを特徴とする載置台。
【請求項１１】
請求項１０に記載の載置台において、
前記操作部の入力操作に基づく操作信号を無線にて送出する送信部を備えたことを特徴とする載置台。
【請求項１２】
投射用光像を投射するプロジェクタユニットを備えた携帯型電子機器を載置する載置部と、
前記載置部に載置された前記携帯型電子機器と電気的に接続されるコネクタ部と、
前記コネクタ部を介して前記携帯型電子機器に充電電力を供給する充電電力供給部と、
リモコン装置からの操作信号を受信する受信部と、
前記受信部で受信した前記操作信号を、前記コネクタ部を介して前記携帯型電子機器に送出する操作信号送出部とを備えたことを特徴とする載置台。
【発明の詳細な説明】
【技術分野】
【０００１】
本発明は、プロジェクタユニットを備えた携帯型電子機器を載置する載置台に関する。
【背景技術】
【０００２】
従来、カメラを載置する載置台が知られている（例えば、特許文献１参照）。
【０００３】
【特許文献１】特開２００５−８６５００号公報
【発明の開示】
【発明が解決しようとする課題】
【０００４】
しかしながら、上述した載置台は、プロジェクタユニットを備えた携帯型電子機器に関する載置台ではない。そのため、携帯型電子機器のプロジェクタユニットを動作させたときに生じる問題、例えば、光源の発熱による機器の温度上昇や、操作性や、投射角度などに対して適切に対処できない。
【課題を解決するための手段】
【０００５】
請求項１の発明による載置台は、投射用光像を投射するプロジェクタユニットを備えた携帯型電子機器を載置する載置部と、載置部に載置された携帯型電子機器と電気的に接続されるコネクタ部と、コネクタ部を介して携帯型電子機器に充電電力を供給する充電電力供給部と、熱伝導性部材で形成され、載置部に載置された携帯型電子機器の筐体に接触する放熱用部材とを備えたことを特徴とする。
請求項２の発明は、請求項１に記載の載置台において、放熱用部材は、携帯型電子機器に設けられた三脚取り付け用穴部に係合する凸部であることを特徴とする。
請求項３の発明は、請求項１または２に記載の載置台において、プロジェクタユニットから投射される投射用光像の投射角度が変更されるように、載置部を回動可能に支持する基台をさらに備えたものである。
請求項４の発明は、請求項３に記載の載置台において、載置部の回動角度を検出する検出部と、検出部の検出情報を、コネクタ部を介して携帯型電子機器に送出する検出情報送出部とをさらに備えたものである。
請求項５の発明は、請求項１〜４のいずれか一項に記載の載置台において、携帯型電子機器に対する指示を入力するための操作部と、操作部の入力操作に基づく操作信号を、コネクタ部を介して携帯型電子機器に送出する操作信号送出部とをさらに備えたものである。
請求項６の発明は、請求項５に記載の載置台において、操作部の入力操作に基づく操作信号を無線にて送出する送信部を備えたものである。
請求項７の発明は、請求項１〜６のいずれか一項に記載の載置台において、リモコン装置からの操作信号を受信する受信部と、受信部で受信した操作信号を、コネクタ部を介して携帯型電子機器に送出する受信操作信号送出部とを備えたものである。
請求項８の発明による載置台は、投射用光像を投射するプロジェクタユニットを備えた携帯型電子機器を載置する載置部と、載置部に載置された携帯型電子機器と電気的に接続されるコネクタ部と、コネクタ部を介して携帯型電子機器に充電電力を供給する充電電力供給部と、プロジェクタユニットから投射される投射用光像の投射角度が変更されるように、載置部を回動可能に支持する基台とを備えたことを特徴とする。
請求項９の発明は、請求項８に記載の載置台において、載置部の回動角度を検出する検出部と、検出部の検出情報を、コネクタ部を介して携帯型電子機器に送出する検出情報送出部とを備えたものである。
請求項１０の発明による載置台は、投射用光像を投射するプロジェクタユニットを備えた携帯型電子機器を載置する載置部と、載置部に載置された携帯型電子機器と電気的に接続されるコネクタ部と、コネクタ部を介して携帯型電子機器に充電電力を供給する充電電力供給部と、携帯型電子機器に対する指示を入力するための操作部と、操作部の入力操作に基づく操作信号を、コネクタ部を介して携帯型電子機器に送出する操作信号送出部とを備えたことを特徴とする。
請求項１１の発明は、請求項１０に記載の載置台において、操作部の入力操作に基づく操作信号を無線にて送出する送信部を備えたものである。
請求項１２の発明による載置台は、投射用光像を投射するプロジェクタユニットを備えた携帯型電子機器を載置する載置部と、載置部に載置された携帯型電子機器と電気的に接続されるコネクタ部と、コネクタ部を介して携帯型電子機器に充電電力を供給する充電電力供給部と、リモコン装置からの操作信号を受信する受信部と、受信部で受信した操作信号を、コネクタ部を介して携帯型電子機器に送出する操作信号送出部とを備えたことを特徴とする。
【発明の効果】
【０００６】
本発明によれば、プロジェクタユニットを備えた携帯型電子機器に適した載置台が得られる。
【発明を実施するための最良の形態】
【０００７】
以下、図を参照して本発明を実施するための最良の形態について説明する。図１は、本発明によるクレードルの一実施の形態を示す斜視図である。クレードル２にはカメラ載置部２０が形成されており、二点破線で示すようにプロジェクタ機能付きデジタルカメラ１が載置される。クレードル２は、デジタルカメラ１の充電や、デジタルカメラ１によるプロジェクタ投影の際に用いられる。
【０００８】
デジタルカメラ１はカメラ前面を図示左側に向けて載置部２０に載置され、図示左方向に投射光が投射される。載置部２０に載置されたデジタルカメラ１は、投射方向が水平から所定角度だけ上方を向くように保持される。載置部２０には、載置されたデジタルカメラ１に接続されるカメラコネクタ２０８と、後述するデジタルカメラ１の三脚用ブロック１５０のねじ穴部１５０ａ（図３参照）に係合する凸部２０２とが設けられている。デジタルカメラ１が載置部２０に載置されると、カメラコネクタ２０８がデジタルカメラ１の底面に設けられた外部コネクタと接続され、デジタルカメラ１との間でデータ通信や充電電流の供給が行われる。
【０００９】
図２はデジタルカメラ１の外観を示す図であり、（ａ）はデジタルカメラ１の上面を示し、（ｂ）は背面側を、（ｃ）は前面側をそれぞれ示す。デジタルカメラ１のボディ１０の上面には、レリーズボタン１０４、プロジェクタボタン７１、およびメインスイッチ１０５が設けられている。プロジェクタボタン７１は、カメラモードと投影モードとの間で電子カメラ１の動作モードを切替えるための操作部材である。
【００１０】
図２（ｂ）に示すように、ボディ１０の背面には、操作部材１０６、液晶表示器１０７、および充電報知用ＬＥＤ１１４が設けられている。操作部材１０６は、撮影レンズ１０１の倍率や、再生表示画像および投影画像の拡大率を変更する拡大縮小ボタン１０６ａ、種々の動作モードを選択するためのモードボタン１０６ｂ、撮影と再生表示とを切替える切替ボタン１０６ｃ、各種の設定をするためのメニュー画面を液晶表示器１０７に表示するためのメニューボタン(MENU)１０６ｄ、記録媒体に記録された画像を削除する削除ボタン１０６ｅ、投影画像や液晶表示器１０７に再生表示する画像を選択するための十字キー１０６ｆ、およびメニュー画面上での設定などを決定するＯＫボタン１０６ｇなどを含む。充電報知用ＬＥＤ１１４は、デジタルカメラ１がクレードル２などにより充電されているときに点灯して、ユーザに対して充電中であることを報知する。
【００１１】
図２（ｃ）に示すデジタルカメラ１のボディ１０には、撮影レンズ１０１、閃光窓１０２、およびプロジェクタ投射窓１０３が設けられている。投射光は、プロジェクタ投射窓１０３からカメラ前方に投射される。
【００１２】
図３は、デジタルカメラ１の内部構成を示す図であり、図２（ａ）のＡ−Ａ断面図である。カメラ正面から見て左側に電池室１２０、中央にプロジェクタユニット３０、右側に撮影ユニット４０がそれぞれ設けられている。電池室１２０にはバッテリ１１１が装着される。プロジェクタユニット３０の上部には閃光装置１３０が配設され、電池室１２０とプロジェクタユニット３０との間に形成されたスペースに閃光装置用メインコンデンサ１４０が配設されている。ボディ１０の底面部には、三脚を取り付けるための三脚用ブロック１５０、不図示のインターフェイスケーブルを介して外部機器（例えば、クレードル２、プリンタ、フォトデータストレージ装置など）との間でデータの送受を行うための外部コネクタ１０８が設けられている。
【００１３】
プロジェクタユニット３０は、ＬＥＤ（発光ダイオード）光源３０３、集光レンズ３０４、偏光ビームスプリッタ３０５、液晶パネル３０２、投影レンズ３０１およびプリズム３０７を備えている。これらはユニットケース３０８内に収納されている。本実施の形態では、液晶パネル３０２としてＬＣＯＳ等の反射型液晶パネルが用いられているが、透過型の液晶パネルを用いても構わない。液晶パネル３０２は、赤、緑、青のフィルターが形成された複数の画素から構成され、カラーの画像を生成するように駆動されている。
【００１４】
ＬＥＤ光源３０３は白色ＬＥＤであり、ＬＥＤ光源３０３から出射された光は集光レンズ３０４により略平行光とされ、偏光ビームスプリッタ３０５に入射する。偏光ビームスプリッタ３０５に入射した光は、偏光分離部３０５ａにおいてＰ偏光（透過光）とＳ偏光（反射光）とに分離され、透過光であるＰ偏光が液晶パネル３０２に入射する。偏光分離部３０５ａで反射されたＳ偏光は、偏光ビームスプリッタ３０５の面３０５ｂに形成された黒色無反射処理層に入射する。
【００１５】
液晶パネル３０２に入射した光は液晶層を進行し、液晶パネル３０２の反射面で反射された後、液晶層を逆方向に進行して液晶パネル３０２から出射される。液晶パネル３０２から出射した光は、偏光ビームスプリッタ３０５へ再度入射する。液晶パネル３０２の液晶層は電圧が印加されると位相板として機能するので、偏光ビームスプリッタ３０５へ再度入射される光は、Ｓ偏光である変調光とＰ偏光である非変調光との混合光となっている。偏光ビームスプリッタ３０５は、再入射された光束のうちＳ偏光である変調光のみを偏光分離部で反射する。その反射された変調光は、投影レンズ３０１およびプリズム３０７を介して図２（ｃ）のプロジェクタ投影窓３１からカメラ前方に投射される。
【００１６】
図４は、デジタルカメラ１が載置部２０に載置されたクレードル２を示す断面図である。なお、デジタルカメラ１はカメラ底面部分を含む一部分のみを示し、クレードル２に関しても要部のみを示した。プロジェクタユニット３０に設けられたＬＥＤ光源３０３は発熱量が大きく、デジタルカメラ１においてＬＥＤ光源３０３が最も高温となる。三脚用ブロック１５０は、プロジェクタユニット３０のＬＥＤ光源３０３が収納された部分の近くに接触するように設けられている。
【００１７】
一方、載置部２０に設けられた凸部２０２は、デジタルカメラ１の三脚用ブロック１５０のねじ穴１５０ａに係合して、プロジェクタ３０で発生した熱をクレードル２側に伝熱するための部材である。凸部２０２の下端部分にはフランジ状の座面２０２ａが形成されており、この座面２０２ａがねじ穴１５０ａの座面に当接する。
【００１８】
なお、ここでは、座面２０２ａをねじ穴１５０ａの座面に当接させたが、凸部２０２の先端面をねじ穴１５０ａの穴底に当接させるようにしても良い。凸部２０２にはアルミ等の熱伝導性に優れた金属材料が用いられ、クレードル２内に設けられた取付基板２１４に取り付けられている。取付基板２１４は金属で形成され、凸部２０２の熱をクレードル２の筐体２１１，２１２に伝達するものである。図４では、クレードル２の底板２１２に伝達するようにしている。
【００１９】
取付基板２１４の凸部２０２が固定されている部分は、凸部２０２が三脚用ブロック１５０のねじ穴１５０ａに係合する際に、矢印で示すように微少量だけ上下に変位することができる。一方、回路基板２１６に固定されたカメラコネクタ２０８も、デジタルカメラ１の外部コネクタ１０８に挿入される際に、上下方向に若干変位することができる。このように、デジタルカメラ１をクレードル２の載置部２０に載置する際に、凸部２０２およびカメラコネクタ２０８が上下に移動できることで、凸部２０２およびカメラコネクタ２０８のねじ穴１５０ａおよび外部コネクタ１０８への挿入がスムーズに行われる。もちろん、凸部２０２を載置部２０に固設して、クレードル２の筐体に２１１，２１２に熱を伝達するようにしても構わない。
【００２０】
図５は、デジタルカメラ１がクレードル２に載置された状態におけるブロック図である。クレードル２は、上述したＵＳＢ端子２０４、ＡＶ出力端子２０５、およびカメラ端子２０８が接続されたクレードル制御回路２０９を有するとともに、クレードル制御回路２０９に接続され、ＡＣ端子２０６から給電される外部電源回路２１０を有する。
【００２１】
クレードル制御回路２０９は、クレードル制御プログラムに基づいて、クレードル２を構成する各部から入力される信号を用いて所定の演算を行ない、クレードル２の各部に対する制御信号を送出して通信動作およびクレードル動作の制御を行なう。また、クレードル制御回路２０９は、後述するようにデジタルカメラ１の電源がオフの場合に、外部電源回路２１０に指令を送り、デジタルカメラ１を充電する。なお、クレードル制御プログラムは制御回路２０９内の不図示の不揮発性メモリに格納されている。
【００２２】
ＡＶ出力端子２０５は、デジタルカメラ１がクレードル２上に載置されている場合にデジタルカメラ１からカメラコネクタ２０８を介して送信される画像データを、外部テレビモニタなどに表示するためのビデオ信号を生成する。外部テレビモニタなどをＡＶ出力端子２０５へ接続することにより、テレビモニタに再生画像が表示される。デジタルカメラ１がクレードル２上に載置されている場合には、クレードル制御回路２０９の指令により、カメラコネクタ２０８を介して、デジタルカメラ１とクレードル２との間でデータ通信や充電電流の供給が行なわれる。
【００２３】
外部電源回路２１０は、ＡＣ／ＤＣ変換回路などで構成され、ＡＣ端子２０６に接続された電源ケーブルを介して入力される交流電力をクレードル２内の各部で必要な直流電力に変換し、変換後の電力を各ブロックへ供給する。外部電源回路２１０はさらに、デジタルカメラ１内のバッテリ１１１を充電するために必要な充電電流をカメラコネクタ２０８を介してデジタルカメラ１へ供給する。
【００２４】
デジタルカメラ１は、プロジェクタユニット３０、撮影ユニット４０および制御回路５０を主構成要素として備えている。制御回路５０には、メモリ６０が接続されている他、プロジェクタボタン７１の操作に連動するプロジェクタスイッチ７１ｓ、半押しスイッチ１０４ａ、全押しスイッチ１０４ｂ、メインスイッチ１０５、操作部材１０６の操作に連動する各種スイッチ群１０６ｓも接続されている。半押しスイッチ１０４ａおよび全押しスイッチ１０４ｂは、それぞれレリーズボタン１０４の押下操作に連動してオン信号もしくはオフ信号を制御回路５０へ出力する。さらに制御回路５０は、液晶表示器１０７、メモリカードインタフェース１０９、バッテリ１１１、充電回路１１２、および充電報知用ＬＥＤ１１４を有し、外部コネクタ１０８に接続されている。
【００２５】
制御回路５０は、制御プログラムに基づいて、デジタルカメラ１を構成する各部から入力される信号を用いて所定の演算を行ない、デジタルカメラ１の各部に対する制御信号を送出して、撮影動作および投影動作の制御を行なう。なお、制御プログラムは、制御回路５０内の不図示の不揮発性メモリに格納されている。
【００２６】
外部コネクタ１０８は、制御回路５０の指令により、インターフェイスケーブル（不図示）を介して接続される他の外部機器との間でデータの送受を行う。外部コネクタ１０８には、制御信号を送受するコントロールインターフェイス(ControlI/F)ライン、ビデオ信号を送受するビデオインターフェイス(VIDEO I/F)ライン、および画像データを送信するデジタルインターフェイス(DigitalI/F)ラインと、充電電流が供給される電源ラインとが含まれている。デジタルカメラ１をクレードル２に載置すると、デジタルカメラ１はクレードル２から給電され、デジタルカメラ１とクレードル２との間でデータ伝送が行なわれる。
【００２７】
充電回路１１２は、外部コネクタ１０８を介してクレードル２から供給される充電電流によりバッテリ１１１を充電する。バッテリ１１１の残容量は制御回路５０により監視されている。メモリカードインタフェース１０９は、メモリカード１１０が着脱可能なインタフェースである。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。
【００２８】
撮影ユニット４０は、撮影レンズ１０１、撮像素子（イメージセンサ）４０２、レンズ駆動回路４０３、および撮影制御回路４０４を備える。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００２９】
撮影レンズ１０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。
【００３０】
レンズ駆動回路４０３は、撮影制御回路４０４から出力されるズーム調節信号に基づいて、撮影レンズ１０１を構成するズームレンズ（不図示）を光軸方向（テレ側もしくはワイド側）へ進退駆動する。制御回路５０は、拡大縮小ボタン１６０ａの右長押し操作によりズームアップ信号を撮影制御回路４０４へ送り、拡大縮小ボタン１０６ａの左長押し操作によりズームダウン信号を撮影制御回路４０４へ送る。
【００３１】
プロジェクタユニット３０には、上述した投影レンズ３０１、液晶パネル３０２、ＬＥＤ光源３０３等の他に、投影レンズ３０１を駆動するレンズ駆動回路３００、液晶パネル３０２、ＬＥＤ光源３０３を制御するとともにレンズ駆動回路３００を介して投影レンズを制御する投射制御回路３０６などが設けられている。レンズ駆動回路３００は、投射制御回路３０６から出力されるフォーカス調節信号に基づいて、投影レンズ３０１を構成するフォーカスレンズ（不図示）を駆動する。
【００３２】
デジタルカメラ１は、プロジェクタユニット３０により画像を投影する投影モードと、撮影ユニット４０で画像を撮影するカメラモードとを動作モードとして有する。これらは、プロジェクタボタン７１の操作により切り替える。さらに、カメラモードは、撮影モードと再生モードとを有する。これらの切り替えは、切替ボタン１０６ｃによって行われる。
【００３３】
撮影モードでは、電子カメラ１は、撮像部４０により画像を撮影し、撮影した画像データを記録媒体（たとえば、メモリカード１１０や内部メモリ）に撮影画像ファイルとして保存する。再生モードでは、電子カメラ１は、撮影済みの画像データを記録媒体（たとえば、メモリカード１１０や内部メモリ）から読み出すなどして、画像データによる再生画像を液晶表示器１０７に再生表示する。撮影開始指示は、レリーズボタン１０４の押下操作に応じて出力される操作信号が対応する。
【００３４】
一方、投影モードでは、撮影済みの画像データを記録媒体（たとえば、メモリカード１１０や内部メモリ）から読出すなどして、画像データによる再生画像（静止画、動画）を投影像として生成し、プロジェクタユニット３０によって投影する。たとえば、十字キー１０６ｆの操作による操作信号が入力されるごとに、制御回路５０は、メモリカード１１０内の記録日時が最も古い（記録されている画像データの中で最初に撮影されたもの）画像データから順に読み出し、読み出した画像データをプロジェクタユニット３０へ送出する。なお、投影モードが設定されたとき、プロジェクタユニット３０は、記録媒体以外から読出された画像データや、デジタルカメラ１の外部から供給される画像データによる再生画像を投影することも可能に構成されている。
【００３５】
投影モードには、以下に示す各種の動作モードが備えられている。
（液晶表示器点灯モード）
投影モードで画像投影中には、制御回路５０は、液晶表示器１０７を点灯し、投影画像と同一の画像や、投影画像を含む複数の画像、または拡大縮小ボタン１０６ａの操作に応じた投影画像の拡大率や投影画像のサイズを示すバーグラフなどの指標を表示する。複数画像を表示する場合には、制御回路５０は、液晶表示器１０７に４枚もしくは９枚の複数画像を表示する。このとき、制御回路５０は、投影画像と同一の画像と、同一画像を基準として、たとえば記録日時の古い順に３枚もしくは８枚の画像を選択して、合計４枚もしくは９枚の画像を表示する。
【００３６】
（液晶表示器非点灯モード）
制御回路５０は、図示しないリモコンなどの遠隔操作装置からの操作信号を入力すると、液晶表示器１０７を消灯し、投影画像と同一の画像表示を行なわない。
【００３７】
（調整モード）
デジタルカメラ１は、投影中に投影画像の焦点調節状態、光量および台形補正などの調整内容におけるそれぞれの調整用パラメータを設定することができる。たとえばモードボタン１０６ｂが操作されるごとに、制御回路５０は焦点調整モード、光量調整モード、画角調整モード、台形補正モードを起動し、各調整モードに対応する調整用画面をプロジェクタユニット３０にそれぞれ投影させる。
【００３８】
その結果、ユーザは調整用画面を確認しながら、たとえば拡大縮小ボタン１０６ａの操作により調整用パラメータを設定できる。調整モードが起動中に切替ボタン１０６ｃの操作による操作信号を制御回路５０が入力すると、制御回路５０は調整モードを終了する。また、液晶表示器点灯モードの場合には、制御回路５０は液晶表示器１０７に上記の各調整内容をメニュー表示し、メニュー画面上でユーザにより調整内容を選択することもできる。調整内容の選択は、たとえば十字キー１０６ｆなどにより行なわれる。
【００３９】
焦点調整モードでは、制御回路５０は拡大ボタン１０６ａの操作による右押しまたは左押し操作信号を受信するごとに、調整パラメータの値を所定値ごとに引上げまたは引き下げて調整値を変更する。制御回路５０は設定された調整値に応じたフォーカス調整信号を投射制御回路３０６へ出力する。このフォーカス調整信号に基づいて、レンズ駆動回路３００はフォーカスレンズ駆動し投射像の焦点調整を行なう。
【００４０】
光量調整モードでは、ＬＥＤ光源３０３への駆動電流値を制御することにより、プロジェクタユニット３０は投射像の光量調整を行なう。制御回路５０は、設定された調整値に応じた光量調整信号を投射制御回路３０６へ出力する。投射制御回路３０６は、この光量調整信号に基づいてＬＥＤ光源３０３の発光量、すなわち駆動電流値を制御する。
【００４１】
台形補正モードでは、制御回路５０は、投射像を台形状から長方形状に補正するために画像処理による電気的な台形補正（キーストン補正）を施す。調整パラメータの変更された補正値は、制御回路５０内の所定の記録領域に記録される。制御回路５０はこの補正値を読み出し、読み出した補正値に基づいて投影する画像データに対する台形補正処理をメモリ６０上で施し、処理後の画像データを投射制御回路３０６へ送出する。
【００４２】
図６はクレードル２の変形例を示す図であり、（ａ）は斜視図、（ｂ）はＥ−Ｅ断面図である。図１に示したクレードル２では、放熱用部材として凸部２０２を載置部２０に設け、デジタルカメラ１の三脚用ブロック１５０のねじ穴１５０ａに挿入されるようにした。一方、図６に示すクレードル２では、載置部２０を含む筐体２１１に放熱用金属部材２２０を配置し、デジタルカメラ１の熱を放熱用金属部材２２０へと逃がすような構成とした。
【００４３】
放熱用金属部材２２０は、載置部２０に配置される接触部２２０ａと、筐体２１１の部分に配置されるパネル部２２０ｂとを有している。図６（ｂ）に示すように、接触部２２０ａは断面形状がＵ字形状となっており、デジタルカメラ１の底面だけでなく前面および背面にも接触している。凸部２２０ｃは背面側の接触が確実に行われるように設けられたものであるが、前面側にも設けても良い。なお、図１の場合も同様であるが、載置部２０は水平面に対して角度θの傾斜を有している。この傾斜角θは、上述したようにデジタルカメラ１の投射方向が、水平から所定角度だけ上方を向くときの角度である。このように角度設定すると、デジタルカメラ１から投射された投射光束は、クレードル２が載置されている面（例えば、机の上面）によって遮られることがない。
【００４４】
上述したように、デジタルカメラ１においてはＬＥＤ光源３０３が設けられている部分が最も高温となる。放熱用金属部材２２０は、デジタルカメラ１の高温部分に接触する位置に配置されており、熱を放熱用金属部材２２０へと逃がすことにより、投影動作時のカメラ内部温度を低減することができる。さらに、パネル部２２０ｂを設けたことにより、大気中への放熱効果がより増加する。なお、放熱用金属部材２２０の接触部２２０ａに、図１に示したような凸部２０２を固設して、載置されたデジタルカメラ１の三脚用ねじ穴１５０ａに挿入させるようにしても良い。
【００４５】
また、図６のクレードル２にはスピーカ２２２が設けられており、画像データに添付された音声データ等を再生することができる。音量調整は、音量ボタン２２４をスライドすることにより行うことができる。
【００４６】
−第２の実施の形態−
図７，８はクレードル２の第２の実施の形態を示す図である。図７は、クレードル２の外観を示す斜視図である。第２の実施の形態のクレードル２は、デジタルカメラ１が載置されるクレードル本体２Ａとベース部２Ｂとを有している。クレードル本体２Ａは、図１のクレードル２に対応するもので、載置部２０、凸部２０２およびカメラコネクタ２０８を備えている。クレードル本体２Ａをベース部２Ｂに対して矢印で示すように回動させることで、クレードル本体２Ａの傾き、すなわちクレードル本体２Ａに載置されたデジタルカメラ１の投射角度を変えることができる。
【００４７】
クレードル２には、クレードル本体２Ａのベース部２Ｂに対する傾き角度を検出する装置が設けられており、検出された傾き角度に応じて投影像の台形補正を自動的に行うようにした。図８は角度検出機構の一例を示す図である。図８（ａ）は、ベース部２Ｂにクレードル本体２Ａを回転可能に連結するヒンジ機構を示す。５００および５０１はヒンジ板金であり、一方のヒンジ板金５００はベース部２Ｂの筐体に固定され、他方のヒンジ板金５０１はクレードル本体２Ａの筐体に固定されている。ヒンジ板金５００は軸５０２に固定されており、軸５０２はヒンジ板金５０１に回転可能に連結されている。
【００４８】
軸５０２のヒンジ板金５０１側の端面には円板５０４が固定されており、円板５０４は軸５０２と一体に回転する。円板５０４およびヒンジ板金５０１の各対向面には、クリック機構５０３を構成する凹部と凸部とが形成されている。クレードル本体２Ａを回転して傾き角度を変えると、クレードル本体２Ａと一体にヒンジ板金５００、軸５０２および円板５０４が回転し、所定角度においてクリック機構５０３の凹部に凸部が落ち込んで係合する。その時に、操作者はクリック感を感じることができる。
【００４９】
ここで、所定角度とは、図６に示す角度θのことである。デジタルカメラ１はクレードル２に載置されたときに最適な投影画像が投影されるように調整されているので、クレードル本体２Ａの角度が所定値θである場合には、上述した台形補正は行われない。そして、クリック位置から角度変更されると角度に応じた台形補正が行われる。なお、クリックは所定角度θの場合だけでなく、複数も受けても良い。
【００５０】
図８（ｂ）に示すように、円板５０４の表面には、回転角度検出用ターゲットとして、反射部５１０と非反射部５１１とが回転の軸を中心とする円周上に交互に繰り返し形成されている。回転角度検出用ターゲットと対向する位置には、フォトインタラプタ５０５が配置されている。ベース部２Ｂと一体に円板５０４が回転すると、フォトインタラプタ５０５の検出光の光軸上を反射部５１０と非反射部５１１とが交互に通過する。例えば、隣り合う反射部５１０間の角度が１度であった場合、フォトインタラプタ５０５により反射光を検出した後にさらに反射光を５回検出したときは、クレードル本体２Ａの角度が５度だけ変化したことが分かる。すなわち、反射光の検出回数により傾き角度を検出することができる。
【００５１】
フォトインタラプタ５０５の角度検出情報は、クレードル本体２Ａのクレードル制御回路２０９およびカメラコネクタ２０８を介してデジタルカメラ１の制御回路５０に送られる（図５参照）。制御回路５０は、検出された傾き角度に応じて上述した台形補正を行う。
【００５２】
図９は、第２の実施の形態の変形例を示す図である。図９に示すクレードル２では、デジタルカメラ１が載置される載置部２０のみが、クレードル２の本体部２１に対して傾き変更可能に構成されている。傾き角度の検出機構等については、図７に示したクレードルと同様である。
【００５３】
このように、第２の実施の形態のクレードル２では、デジタルカメラ１が載置されるクレードル本体２Ａや載置部２０の傾き角度（投射角度）が変更可能である。そのため、投射条件に応じてデジタルカメラ１の傾き角度を容易に変えることができるとともに、種々の傾き角度に対してデジタルカメラ１を安定に保持することができる。
【００５４】
−第３の実施の形態−
図１０，１１はクレードル２の第３の実施の形態を示す図である。図１０は、本実施の形態のクレードル２とリモコン８０とを示す図である。クレードル２は、載置部２０、凸部２０２およびカメラコネクタ２０８等の図１に示したクレードル２の構成に加えて、デジタルカメラ１に対して指示を送るための操作ボタン２８０，２８２〜２８５と、ＬＥＤ２８１と、通信部２８６とを備えている。通信部２８６は、送信および受信機能を有している。また、デジタルカメラ１やクレードル２とは別に設けられたリモコン８０は、切替ボタン８１、調整ボタン８２、設定ボタン８３、ＬＥＤ８４、および通信部８５を備えている。
【００５５】
本実施の形態では、デジタルカメラ１を操作する方法として、以下の５種類の操作方法が可能である。一つめの操作方法では、デジタルカメラ１に設けられた操作部によりデジタルカメラ１を操作する。二つめの操作方法では、リモコン８０からデジタルカメラ１に操作信号を送信して操作する。三つめの操作方法では、デジタルカメラ１をクレードル２に載置し、クレードル２に設けられた操作ボタンにより操作する。四つめの操作方法では、リモコン８０からクレードル２に操作信号を送信し、クレードル２に載置されたデジタルカメラ１を操作する。五つめの操作方法はクレードル２をリモコンとして用いる操作方法であり、クレードル２に載置されていないデジタルカメラ１に対して、クレードル２の通信部２８６から操作信号を送信する。もちろん、デジタルカメラ１はクレードル２からの操作信号を受信するための通信部を備えている。
【００５６】
図１１は、デジタルカメラ１、クレードル２，リモコン８０の構成を示すブロック図である。デジタルカメラ１に関しては、通信部１１３を備えている他は図５に示したブロック図と同様である。なお、プロジェクタユニット３０および撮影ユニット４０の内部構成は図示を省略した。クレードル２に関しては、図５に示した構成に加えてＬＥＤ２８１、操作ボタン２８０，２８２〜２８５に対応するスイッチ２８０ａ，２８２ａ〜２８５ａ、通信部２８６が設けられている。リモコン８０には、切替ボタン８１、調整ボタン８２および設定ボタン８３に対応するスイッチ８１ａ，８２ａ，８３ａと、ＬＥＤ８４および通信部８５が設けられている。
【００５７】
リモコン８０の切替ボタン８１はカメラモードと投影モードとの間で動作モードを切り替える際に操作される。また、切替ボタン８１は、デジタルカメラ１の電源がオフの場合は、電源オン操作に用いられる。デジタルカメラ１の電源がオンの場合は、切替ボタン８１が操作されると、切替スイッチ８１ａから切替操作信号が出力される。また、投影モードにおいて調整モードが起動中の場合は、切替ボタン８１の操作により調整モードを終了することができる。
【００５８】
また、切替ボタン８１は、電子カメラ１の電源がオフの場合は、電源オン操作に用いられる。電子カメラ１の電源がオンの場合は、切替ボタン８１が操作されると、切替スイッチ８１ａから切替操作信号が出力される。また、投影モードにおいて調整モードが起動中の場合は、切替ボタン８１の操作により調整モードを終了することができる。
【００５９】
調整ボタン８２は、電子カメラ１がカメラモードで動作している間は、レリーズボタン１０４と同様に画像の取得を指示する際に操作される。投影モードで動作中の場合は、調整ボタン８２は投影画像の各種設定をするための調整モードの起動および調整内容の切り替えを指示する際に用いられる。調整ボタン８２が操作されるごとに、調整スイッチ８２ａから焦点調整指示信号、光量調整指示信号、画角調整指示信号、および台形補正指示信号がリモコン制御回路８６により上記の順にサイクリックに出力され、通信部８５により送信される。
【００６０】
設定ボタン８３は、デジタルカメラ１に設けられた拡大縮小ボタン１０６ａと同一機能を有する操作ボタンである。設定ボタン８３が操作されると設定スイッチ８３ａから操作信号が出力され、デジタルカメラ１ではプロジェクタユニット３０により投影されている画像の切り替え処理、および上記調整モードにおける調整用パラメータの変更処理が行なわれる。また、設定ボタン８３が長押し操作されると、電子カメラ１ではカメラモードで動作中には撮影レンズ４０１のズーミング調整、投影モードで動作中には投影画像のズーミング調整が行なわれることになる。
【００６１】
上記の操作ボタン８１〜８３のいずれかがユーザにより押下操作されると、リモコン制御回路８６はＬＥＤ８４を点灯する。ＬＥＤ８４の点灯により、切替ボタン８１、調整ボタン８２、および設定ボタン８３が照明される。上記操作ボタンの操作後、所定時間たとえば５秒間、いずれの操作ボタンも操作されない場合は、リモコン制御回路８６はＬＥＤ８４を消灯する。ＬＥＤ８４が点灯している間、すなわち最初の操作から５秒以内に上記の操作ボタンのいずれかが再び操作されると、操作内容を示す各種操作信号が通信部８５から送信される。
【００６２】
リモコン制御回路８６は、各スイッチ８１ａ〜８３ａから出力される操作信号に応じた各種信号を通信部８５に出力する。通信部８５は、リモコン制御回路８６から受信した各信号を、たとえば赤外線で送信する。なお、通信部８５に限らず、通信部１１３，２８６の通信は赤外線を用いて行われる。
【００６３】
リモコン８０の外表面には、ＬＥＤ８４の発光色と調整モードによる調整内容との対応関係を示す指標８７が印刷されている。指標８７は、たとえば赤色で「焦点調節」、緑色で「光量」、黄色で「画角」、青色で「台形補正」のように印刷されている。したがって、ユーザは、ＬＥＤ８４の発光色と指標８７の印刷色とを比較することによりいずれの調整内容を調整しているのかを容易に把握できる。
【００６４】
一方、クレードル２に設けられた操作ボタン２８０はリモコン８０の切替ボタン８１に対応し、操作ボタン２８２，２８３はリモコン８０の設定ボタン８３に対応し、操作ボタン２８４はリモコン８０の調整ボタン８２に対応する。また、操作ボタン２８５は、メモリカード１１０に記録されている画像ファイルの削除等に用いる削除ボタンである。図１１のブロック図では、操作ボタン２８０，２８２〜２８５に対応した操作スイッチ群２８０ｓが設けられている。このように、クレードル２は通信部２８６からデジタルカメラ１に操作信号を送信できるので、リモコンとしても利用することができる。
【００６５】
なお、上述した実施の形態ではデジタルカメラを例に説明したが、プロジェクタユニットを備える携帯型電子機器であれば、本発明を同様に適用することができる。また、本発明の特徴を損なわない限り、本発明は上記実施の形態に何ら限定されるものではない。
【図面の簡単な説明】
【００６６】
【図１】本発明によるクレードルの一実施の形態を示す斜視図である。
【図２】デジタルカメラ１の外観を示す図であり、（ａ）は上面を、（ｂ）は背面側を、（ｃ）は前面側をそれぞれ示す。
【図３】デジタルカメラ１の内部構成を示す図である。
【図４】デジタルカメラ１を載置したクレードル２の断面図である。
【図５】デジタルカメラ１およびクレードル２のブロック図である。
【図６】クレードル２の第１の変形例を示す図であり、（ａ）は斜視図、（ｂ）はＥ−Ｅ断面図である。
【図７】第２の実施の形態におけるクレードル２の外観を示す斜視図である。
【図８】回転検出機構の一例を示す図である。
【図９】第２の実施の形態の変形例を示す図である。
【図１０】第３の実施の形態におけるクレードル２とリモコン８０とを示す図である。
【図１１】デジタルカメラ１、クレードル２，リモコン８０の構成を示すブロック図である。
【符号の説明】
【００６７】
１：デジタルカメラ、２：クレードル、２Ａ：クレードル本体、２Ｂ：ベース部、１０：ボディ、２０：載置部、２１：本体部、３０：プロジェクタユニット、４０：撮影ユニット、５０：制御回路、８０：リモコン、８５，１１３，２８６：通信部、１１１：バッテリ、１５０：三脚用ブロック、１５０ａ：ねじ穴、２０２：凸部、２０８：カメラコネクタ、２０９：クレードル制御回路、２１０：外部電源回路、２１１：筐体、２２０：放熱用金属部材、２８０，２８２〜２８５：操作ボタン、３０３：光源用ＬＥＤ、５０５：フォトインタラプタ
【図１】
2008288682.tif 000003
【図２】
2008288682.tif 000004
【図３】
2008288682.tif 000005
【図４】
2008288682.tif 000006
【図５】
2008288682.tif 000007
【図６】
2008288682.tif 000008
【図７】
2008288682.tif 000009
【図８】
2008288682.tif 000010
【図９】
2008288682.tif 000011
【図１０】
2008288682.tif 000012
【図１１】
2008288682.tif 000013